(57)【特許請求の範囲】
【請求項１】
基材層と熱接着性樹脂層を有する積層体からなり合掌熱接着部と端縁熱接着部により形成され、両側部に設けられた折目により折り込まれた折込部が形成されたガセットピロータイプ袋であって、前記合掌熱接着部の一方の前記端縁熱接着部側の位置に開封開始部が設けられ、前記開封開始部から袋の両側端に向かって斜めに延び前記折込部を過るように形成された切目線が、少なくとも前記積層体の基材層を貫通するように形成され、前記切目線が前記折込部の前記折目の近傍領域が切目線非形成部とされ、前記折込部内の前記切目線の前記開封開始部側の端縁部であって該端縁部の前記切目線の前記一方の端縁熱接着部側領域にそれぞれ傷痕群が形成された構成からなることを特徴とする易開封包装袋。
【請求項２】
前記切目線が前記積層体を貫通するように形成されている構成からなることを特徴とする請求項１記載の易開封包装袋。
【請求項３】
前記開封開始部が、前記積層体に複数の傷痕が形成された構成からなることを特徴とする請求項１または２に記載の易開封包装袋。
【請求項４】
前記切目線が、横向Ｓ字形状の切目からなり横方向にずらした状態で所定間隔をおいて複数個配列された構成からなることを特徴とする請求項１〜３のいずれかに記載の易開封包装袋。
【発明の詳細な説明】
【０００１】
【発明の属する技術分野】
本発明は、合掌熱接着部の端縁から引き裂いて大きい開口を簡単に形成することができるピロータイプの易開封包装袋に関する。
【０００２】
【従来の技術】
従来、合掌熱接着部から端縁熱接着部の方向に斜めに袋を引き裂いて開口させるピロータイプの易開封包装袋としては、実開昭６２−１２２０６０号公報に記載されているような、密封用包装袋のシール面縁部を含む引裂き予定線に沿って、一軸延伸フィルムよりなるテープを密着させるとともに、シール面とフィルムが重合する縁部に少なくとも１つの引裂用の切目を設けた構成であって、ガセットタイプの合掌貼り袋の引裂き予定線が合掌貼り面の縁部から袋の側方部に向けて仰角をなすように形成された構成のものが知られている。
しかしながら、上記構成の袋の場合、密封用包装袋のシール面縁部を含む引裂き予定線に沿って、一軸延伸フィルムよりなるテープを密着させる工程が必要となるために、包装袋の製造工程中において袋の表面に一軸延伸フィルムよりなるテープを密着させる工程がきわめて煩雑となり、製造の効率化が困難となる結果コスト高になるという欠点がある。また、一軸延伸フィルムよりなるテープを袋の表面に剥がれないように強く接着させないとテープに沿って引き裂けないおそれがあるという欠点がある。
【０００３】
【発明が解決しようとする課題】
本発明の目的は、合掌熱接着部の開封開始部から引き裂いて簡単に大きい開口を形成することができるピロータイプの易開封包装袋を提供することにある。
【０００４】
【課題を解決するための手段】
基材層と熱接着性樹脂層を有する積層体からなり合掌熱接着部と端縁熱接着部により形成され、両側部に設けられた折目により折り込まれた折込部が形成されたガセットピロータイプ袋であって、合掌熱接着部の一方の前記端縁熱接着部側の位置に開封開始部が設けられ、前記開封開始部から袋の両側端に向かって斜めに延び前記折込部を過るように形成された切目線が、少なくとも積層体の基材層を貫通するように形成され、前記切目線が前記折込部の前記折目の近傍領域が切目線非形成部とされ、前記折込部内の前記切目線の前記開封開始部側の端縁部であって該端縁部の前記切目線の前記一方の端縁熱接着部側領域にそれぞれ傷痕群が形成された構成とすることにより、合掌熱接着部の開封開始部から袋の背面側を両側端に向かって斜めに引き裂いて、開封開始部を頂点とする３角形状の大きい開口を形成することができるので、その開口から内容物を簡単に取り出すことができる。
【０００５】
また、両側部に折込部が形成されたガセットピロータイプ袋であって、切目線が開封開始部から袋の両側端に向かって斜めに延び折込部を過るように形成されている構成とすることにより、開封開始部から袋の背面側及び折込部を引き裂いて、袋の胴部を横断する大きい開口を形成することができるので、収納されている内容物が大きい場合でも簡単に取り出すことができる。
【０００６】
また、切目線が折込部の折目の近傍領域が切目線非形成部とされ、折込部内の切目線の開封開始部側の端縁部であって該端縁部の切目線の一方の端縁熱接着部側領域にそれぞれ傷痕群が形成された構成とすることにより、袋の折目の近傍領域に切目線が形成されていないので、ピロータイプ袋の製袋に際し折目となる箇所から切目線に沿って積層体が裂けるのを防止することができる。また、切目線に切目線非形成部が形成されていても、折込部内の切目線の開封開始部側の端縁部であって該端縁部の切目線の一方の端縁熱接着部側領域に傷痕群が形成されているので、引き裂き線が切目線から逸脱してしまうことがなく切目線に沿って開封することができる。
【０００７】
上記の易開封包装袋において、切目線が積層体を貫通するように形成されている構成とすることにより、積層体の引き裂きがきわめて容易となるので弱い力で簡単に開封することができる。
【０００８】
上記の易開封包装袋において、開封開始部が積層体に複数の傷痕が形成された構成とすることにより、開封開始部から容易に積層体の引き裂きを開始し、次いで切目線に沿って引き裂いて開封することができる。
【０００９】
上記の易開封包装袋において、切目線が横向Ｓ字形状の切目からなり横方向に順次ずらした状態で所定間隔をおいて複数個配列された構成とすることにより、積層体を切目線に沿って引き裂いて開封する際に、引き裂き線が切目線から逸脱してしまうことがなく開封することができる。
【００１０】
【発明の実施の形態】
以下、図面に基づいて本発明の実施の形態を説明する。
図１は本発明の実施形態を示す斜視図、図２は実施形態の開封した状態を示す斜視図、図３は実施形態の易開封包装袋を作製するための積層体を示す平面図、図４は実施形態の切目線の詳細を示す拡大平面図、図５は切目線を構成する切目の他の形状を示す図であり、１は合掌熱接着部、1'は合掌熱接着領域、2a, 2bは端縁熱接着部、2a', 2b'は端縁熱接着領域、3a, 3b, 3cは折目、４は切目線、５は開封開始部、６はカット線、7a, 7bは切目線非形成部、8a, 8bは傷痕群、９，9'は切目をそれぞれ表す。
【００１１】
本発明の実施形態は、基材層と熱接着性樹脂層を有する積層体からなり、両側部に折目3a,3b,3cにより折込部を設けて合掌熱接着部１と端縁熱接着部2a,2b により形成されたガセットピロータイプ袋であって、端縁熱接着部2aに近い合掌熱接着部１に開封開始部５が設けられ、開封開始部５の内側から袋の両側端に向かって端縁熱接着部2a側に斜めに延び両側の折込部を過る切目線４が、少なくとも積層体の基材層を貫通するように形成された構成である。実施形態において、開封開始部５を設ける位置は、形成する開口の位置及び切目線４の傾斜角度をどの程度にするかにより適宜決めればよい。開封開始部５には積層体を貫通する傷痕群が形成されて積層体を簡単に引き裂けるようにされている。
【００１２】
実施形態のガセットピロータイプ袋を、開封開始部５から引き裂きを開始し、次いで切目線４に沿って合掌熱接着部１が形成された袋の背面側の積層体を端縁熱接着部2aの側に斜めに引き裂くとともに両側の折込部の積層体を斜めに引き裂くことにより、図２に示すように、ガセットピロータイプ袋の端縁熱接着部2aの近傍に大きい開口を形成することができる。開封した状態では、袋の正面側の積層体を残して袋の背面側及び両側の折込部の積層体が引き裂かれた状態となって大きい開口を形成することができるので、個包装された内容物が大きい場合でも形成した開口から簡単に取り出すことができる。実施形態では、切目線を背面側及び両側の折込部を形成する積層体に形成した構成としているが、切目線を正面側の積層体にも連続するように全周にわたって形成し、袋の一端側を完全に切り取るようにしてもよい。
【００１３】
実施形態のガセットピロータイプ袋を作製するための連続した積層体は、図３に示すとおりであり、ガセットピロータイプ袋を作製するための所定巾を有し、袋の両側部に折込部を形成するため折目3a,3b,3cが設けられ、積層体の両側端部に所定巾の合掌熱接着領域1'が設けられ、袋の上下方向の長さに相当する間隔をおいてカット線６が設けられ、カット線６を挟んで上部に端縁熱接着領域2b' が下部に端縁熱接着領域2a' が設けられ、端縁熱接着領域2a' の下縁から一定距離だけ離れた位置における両側の合掌熱接着領域1'に一対の開封開始部５が形成され、それぞれの開封開始部５の内側から端縁熱接着領域2a' 側に斜めに延び折込部を形成するための折目3cに達する切目線４が形成された構成である。
【００１４】
図３に示す切目線４が形成された連続した積層体の両側部の合掌熱接着領域1'を合わせて熱接着して合掌熱接着部１を形成し、折目3a,3c を外折りするとともに折目3bを内折りしてＶ字状に折り込み両側に折込部を形成し、端縁熱接着領域2b' を熱接着して端縁熱接着部2bを形成した後に、カット線６にてカットすることによりガセットピロータイプ袋が作製される。その袋に個包装した内容物を収納して端縁熱接着領域2a' を熱接着して端縁熱接着部2aを形成することにより、図１に示す実施形態のガセットピロータイプ袋となる。
【００１５】
積層体に形成する切目線４の詳細は、図４に示すとおりであって、切目線４は折目３ａ及び折目３ｂの近傍が切目線非形成部７ａ及び切目線非形成部７ｂとされ、切目線非形成部７ａ及び切目線非形成部７ｂから引裂きを開始する切目線４の端縁部の切目線の一方の端縁熱接着部側領域に傷痕群８ａおよび傷痕群８ｂが形成されている。図４に示すように傷痕群８ａ及び傷痕群８ｂを形成しておくことにより、引き裂きが切目線非形成部７ａ及び切目線非形成部７ｂに達した後に、中断した切目線４の端縁から連続して引き裂く際に引裂き線が切目線４から逸れてしまうことがない。また、図３に示す切目線４が形成された積層体を使用してガセットピロータイプ袋を製袋する工程において、袋の両側部に折込部を形成するための折目３ａ及び折目３ｂの近傍に切目線４が形成されていないので、積層体を折目３ａ，３ｂ，３ｃにて折り曲げて折込部を形成する際に切目線４に沿って積層体が裂けるのを防止することができる。
【００１６】
実施形態における切目線４は、横向Ｓ字状の切目９を横方向に外方に一定寸法だけずらした状態で規則的に配列した構成とされている。切目の形状および切目の配列の仕方は、ガセットピロータイプ袋を開封開始部５から引き裂きを開始して切目線４に沿って逸れることなく引き裂ける形状であれば特に制限はないが、実施形態の横向Ｓ字状の切目９又は、図５に示す横向Ｚ字状の切目9'とするのが好ましい。
【００１７】
実施形態における切目線４及び傷痕群8a,8b は、基材層と熱接着性樹脂層を有する積層体の基材層を貫通する状態で形成してもよいし、また、積層体を貫通する状態で形成することもできる。積層体を構成する熱接着性樹脂層が薄くできる場合には積層体の基材層を貫通する切目線を形成するのが好ましく、積層体を構成する熱接着性樹脂層を厚くする必要がある場合には積層体を貫通する切目線を形成するのが好ましい。積層体の基材層を貫通する状態ないしは積層体を貫通する状態で切目線を形成すると、積層体のガスバリヤー性が低下するが、本発明の易開封包装袋は個別に包装された商品を外装するための袋として使用されるものであるため、積層体の多少のガスバリヤー性の低下は問題にならない。
【００１８】
実施形態の積層体を構成する基材層としては、２軸延伸ポリエチレンテレフタレート、２軸延伸ポリプロピレン、２軸延伸ナイロン等の２軸延伸プラスチックフィルムと純白、模造紙、上質紙、クラフト紙等の薄紙を積層したものが使用でき、熱接着性樹脂層としては、ポリエチレン、ポリプロピレン、エチレン−酢酸ビニル共重合体等のポリオレフィンが使用できる。基材層として２軸延伸プラスチックフィルムと薄紙とを積層した構成とすることにより、積層体の剛性が大きくなり袋の保形性が優れるので意匠性の優れた外装袋とすることができる。本発明の易開封包装袋は、ガスバリヤー性のフィルムにより個包装された小袋を集積包装する外装袋として使用されるものであるので、積層体を構成する基材層としてガスバリヤー性の優れたフィルムを使用する必要はない。
【００１９】
積層体の構成としては、例えば、２軸延伸ポリエチレンテレフタレート（ＰＥＴ）１２μｍ／押出ポリエチレン（ＥＣ）１５μｍ／薄紙５０ｇ／ポリエチレン（ＰＥ）１５μｍ／ポリエチレン（ＰＥ）１５μｍ、２軸延伸ポリプロピレン（ＯＰＰ）２０μｍ／ＥＣ１５μｍ／薄紙５０ｇ／ＰＥ１５μｍ／ＰＥ１５μｍ、ＰＥＴ１２μｍ／ＥＣ１５μｍ／薄紙５０ｇ／未延伸ポリプロピレン（ＣＰＰ）２０μｍ、ＯＰＰ２０μｍ／ＥＣ１５μｍ／薄紙５０ｇ／ＣＰＰ２０μｍ、ＰＥＴ１２μｍ／ＥＣ１５μｍ／薄紙５０ｇ／ＰＥ４０μｍ、ＰＥＴ１２μｍ／ＥＣ１５μｍ／薄紙５０ｇ／ＣＰＰ４０μｍ等であり、下線を設けた層に切目線が形成される。
【００２０】
【発明の効果】
基材層と熱接着性樹脂層を有する積層体からなり合掌熱接着部と端縁熱接着部により形成されたガセットピロータイプ袋であって、合掌熱接着部に開封開始部が設けられ、前記開封開始部から袋の両側端に向かって斜めに延びる切目線が、少なくとも積層体の基材層を貫通するように形成された構成とすることにより、合掌熱接着部の開封開始部から袋の背面側を両側端に向かって斜めに引き裂いて、開封開始部を頂点とする３角形状の大きい開口を形成することができるので、その開口から内容物を簡単に取り出すことができる。
【００２１】
上記の易開封包装袋において、ピロータイプ袋が両側部に折込部が形成されたガセットピロータイプ袋であって、切目線が開封開始部から袋の両側端に向かって斜めに延び折込部を過るように形成されている構成とすることにより、開封開始部から袋の背面側及び折込部を引き裂いて、袋の胴部を横断する大きい開口を形成することができるので、収納されている内容物が大きい場合でも簡単に取り出すことができる。
【００２２】
上記の易開封包装袋において、切目線が積層体を貫通するように形成されている構成とすることにより、積層体の引き裂きがきわめて容易となるので弱い力で簡単に開封することができる。
【００２３】
上記の易開封包装袋において、開封開始部が積層体に複数の傷痕が形成された構成とすることにより、開封開始部から容易に積層体の引き裂きを開始し、次いで切目線に沿って引き裂いて開封することができる。
【００２４】
上記の易開封包装袋において、切目線がガセットピロータイプ袋の折込部の折目の近傍領域が切目線非形成部とされ、切目線非形成部の開封方向の端縁の切目線の開封開始部側の端縁部であって該端縁部の切目線の一方の端縁熱接着部側領域にそれぞれ傷痕群が形成された構成とすることにより、袋の折目の近傍領域に切目線が形成されていないので、ピロータイプ袋の製袋に際し折目となる箇所から切目線に沿って積層体が裂けるのを防止することができる。また、切目線に切目線非形成部が形成されていても、切目線非形成部の開封方向の切目線の端縁の外側領域に傷痕群が形成されているので、引き裂き線が切目線から逸脱してしまうことがなく切目線に沿って開封することができる。
【００２５】
上記の易開封包装袋において、切目線が横向Ｓ字形状の切目からなり横方向に順次ずらした状態で所定間隔をおいて複数個配列された構成とすることにより、積層体を切目線に沿って引き裂いて開封する際に、引き裂き線が切目線から逸脱してしまうことがなく開封することができる。
【図面の簡単な説明】
【図１】本発明の実施形態を示す斜視図。
【図２】実施形態の開封した状態を示す斜視図。
【図３】実施形態の易開封包装袋を作製するための積層体を示す平面図。
【図４】実施形態の切目線の詳細を示す拡大平面図。
【図５】切目線を構成する切目の他の形状を示す図。
【符号の説明】
１  合掌熱接着部
2'  合掌熱接着領域
2a, 2b  端縁熱接着部
3a', 3b'  端縁熱接着領域
3a, 3b, 3c  折目
４  切目線
５  開封開始部
６  カット線
7a, 7b  切目線非形成部
8a, 8b  傷痕群
９，９’  切目
【図１】
0004676611.tif 000002
【図２】
0004676611.tif 000003
【図３】
0004676611.tif 000004
【図４】
0004676611.tif 000005
【図５】
0004676611.tif 000006